(57)【要約】【課題】基体上に形成すべき色要素が比較的大きい場合であっても容易に色要素を形成することができる液滴付与方法、液滴吐出装置、電気光学装置の製造方法および電子機器を提供すること。【解決手段】本発明の液滴付与方法は、液滴吐出装置１００を用いて実施され、色要素となるべき複数の区画が形成された基体と、液滴吐出手段１０３とを区画の短軸方向に相対的に移動させつつノズルより液滴を吐出する。第１の吐出走査では、液滴が着弾してなるドットが別のノズルから吐出された液滴が着弾してなるドットと長軸方向に関して重ならないようにして液滴を付与する。第２の吐出走査では、液滴の着弾位置が長軸方向に関して第１の吐出走査での隣接する二つの着弾位置の間になるようにするとともに、液滴の短軸方向に関する着弾位置が第１の吐出走査での着弾位置よりも短軸方向に関して区画の中心寄りになるようにして液滴を付与する。【選択図】図１
2005218920.tif 000002
【特許請求の範囲】
【請求項１】
色要素となるべき複数の区画が形成された基体と、液滴を吐出する複数のノズルを有する液滴吐出手段とを相対的に移動させ、色要素形成用の液状材料を前記ノズルから液滴として吐出して前記区画に付与する吐出走査を複数回行う液滴付与方法であって、
前記液滴吐出手段は、複数のノズルが前記区画の長軸方向に沿って並んだ少なくとも一列のノズル列を有する液滴吐出ヘッドを少なくとも一つ備え、前記長軸方向のノズルピッチが前記区画の前記長軸方向の長さより短くなるように構成されており、
前記基体と前記液滴吐出手段とを前記長軸方向とほぼ直交する短軸方向に相対的に移動させ、一つの前記区画につき前記長軸方向の位置が互いに異なる複数のノズルからそれぞれ液滴を複数回吐出し、かつ、液滴が着弾してなるドットが、その液滴を吐出したノズルと前記長軸方向の距離が最も近い別のノズルから吐出された液滴が着弾してなるドットと前記長軸方向に関して重ならないようにして液滴を付与する第１の吐出走査を行う工程と、
前記基体と前記液滴吐出手段とを前記短軸方向に相対的に移動させ、一つの前記区画につき前記長軸方向の位置が互いに異なる複数のノズルからそれぞれ液滴を少なくとも１回吐出し、かつ、それらの液滴の前記長軸方向に関する着弾位置が前記第１の吐出走査での隣接する二つの着弾位置の間になるとともにそれらの液滴の前記短軸方向に関する着弾位置が前記第１の吐出走査での着弾位置よりも前記短軸方向に関して前記区画の中心寄りになるようにして液滴を付与する第２の吐出走査を行う工程とを有することを特徴とする液滴付与方法。
【請求項２】
前記第１の吐出走査および前記第２の吐出走査では、同じノズルから吐出された複数の液滴が着弾してなる複数のドットが前記短軸方向に沿ってつながるような間隔で液滴を付与する請求項１に記載の液滴付与方法。
【請求項３】
前記基体と前記液滴吐出手段とを前記短軸方向に相対的に往復させ、その往路と復路とでそれぞれ吐出走査を行う請求項１または２に記載の液滴付与方法。
【請求項４】
一往復または複数往復の吐出走査により、一つの基体に対する液滴の付与を終了する請求項３に記載の液滴付与方法。
【請求項５】
２回目以降の吐出走査においては、前記液滴吐出手段と前記基体との相対位置を前回の吐出走査の際と比べて前記長軸方向に所定量ずらすことにより、同じ区画に対して前回の吐出走査の際と異なるノズルから液滴を吐出する請求項１ないし４のいずれかに記載の液滴付与方法。
【請求項６】
液滴を吐出する複数のノズルを有する液滴吐出手段と、
色要素となるべき複数の区画が形成された基体と、前記液滴吐出手段とを相対的に移動させる移動手段と、
前記液滴吐出手段および前記移動手段の作動を制御する制御手段とを備え、
前記液滴吐出手段と前記基体とを前記区画の短軸方向に相対的に移動させ、色要素形成用の液状材料を前記ノズルから液滴として吐出して前記区画に付与する吐出走査を複数回行う液滴吐出装置であって、
前記液滴吐出手段は、複数のノズルが前記区画の長軸方向に沿って並んだ少なくとも一列のノズル列を有する液滴吐出ヘッドを少なくとも一つ備え、前記長軸方向のノズルピッチが前記区画の前記長軸方向の長さより短くなるように構成されており、
前記基体と前記液滴吐出手段とを前記短軸方向に相対的に移動させ、一つの前記区画につき前記長軸方向の位置が互いに異なる複数のノズルからそれぞれ液滴を複数回吐出し、かつ、液滴が着弾してなるドットが、その液滴を吐出したノズルと前記長軸方向の距離が最も近い別のノズルから吐出された液滴が着弾してなるドットと前記長軸方向に関して重ならないようにして液滴を付与する第１の吐出走査と、
前記基体と前記液滴吐出手段とを前記短軸方向に相対的に移動させ、一つの前記区画につき前記長軸方向の位置が互いに異なる複数のノズルからそれぞれ液滴を少なくとも１回吐出し、かつ、それらの液滴の前記長軸方向に関する着弾位置が前記第１の吐出走査での隣接する二つの着弾位置の間になるとともにそれらの液滴の前記短軸方向に関する着弾位置が前記第１の吐出走査での着弾位置よりも前記短軸方向に関して前記区画の中心寄りになるようにして液滴を付与する第２の吐出走査とを行うことを特徴とする液滴吐出装置。
【請求項７】
請求項１ないし５のいずれかに記載の液滴付与方法を用いて基体上の複数の区画に色要素を形成して色要素付き基板を製造する工程を有することを特徴とする電気光学装置の製造方法。
【請求項８】
請求項７に記載の電気光学装置の製造方法により製造された電気光学装置を備えることを特徴とする電子機器。
【発明の詳細な説明】
【技術分野】
【０００１】
本発明は、液滴付与方法、液滴吐出装置、電気光学装置の製造方法および電子機器に関する。
【背景技術】
【０００２】
インクジェット装置を用いて、色要素（画素）となるべき区画が形成された基体上の各区画にインク等の液状材料を付与することが知られている。例えば、インクジェット装置を用いてカラーフィルタ基板のフィルタエレメントや、マトリクス型表示装置においてマトリクス状に配置された発光部を形成することが知られている（例えば特許文献１参照）。
【０００３】
特許文献１に記載された方法では、色要素の長軸方向と平行またはやや傾斜した方向に沿って配列されたノズル列を有するインクジェットヘッドを、色要素の長軸方向と直交する方向に相対的に移動しつつ、各色要素にインク滴を付与する。この場合、各ノズルからは、一つの色要素につき一滴のインク滴を付与する（特許文献１の段落番号０００２および００１９参照）。
しかしながら、大型テレビ用などの大型の表示装置を製造する場合には、各色要素も大きくなるので、特許文献１に記載されたような方法では、色要素全体に必要量のインクを行き渡らせることができず、製造するのが困難であった。
【０００４】
【特許文献１】特開平９−１０１４１２号公報
【発明の開示】
【発明が解決しようとする課題】
【０００５】
本発明の目的は、基体上に形成すべき色要素が比較的大きい場合であっても容易に色要素を形成することができる液滴付与方法、液滴吐出装置、電気光学装置の製造方法および電子機器を提供することにある。
【課題を解決するための手段】
【０００６】
このような目的は、下記の本発明により達成される。
本発明の液滴付与方法は、色要素となるべき複数の区画が形成された基体と、液滴を吐出する複数のノズルを有する液滴吐出手段とを相対的に移動させ、色要素形成用の液状材料を前記ノズルから液滴として吐出して前記区画に付与する吐出走査を複数回行う液滴付与方法であって、
前記液滴吐出手段は、複数のノズルが前記区画の長軸方向に沿って並んだ少なくとも一列のノズル列を有する液滴吐出ヘッドを少なくとも一つ備え、前記長軸方向のノズルピッチが前記区画の前記長軸方向の長さより短くなるように構成されており、
前記基体と前記液滴吐出手段とを前記長軸方向とほぼ直交する短軸方向に相対的に移動させ、一つの前記区画につき前記長軸方向の位置が互いに異なる複数のノズルからそれぞれ液滴を複数回吐出し、かつ、液滴が着弾してなるドットが、その液滴を吐出したノズルと前記長軸方向の距離が最も近い別のノズルから吐出された液滴が着弾してなるドットと前記長軸方向に関して重ならないようにして液滴を付与する第１の吐出走査を行う工程と、
前記基体と前記液滴吐出手段とを前記短軸方向に相対的に移動させ、一つの前記区画につき前記長軸方向の位置が互いに異なる複数のノズルからそれぞれ液滴を少なくとも１回吐出し、かつ、それらの液滴の前記長軸方向に関する着弾位置が前記第１の吐出走査での隣接する二つの着弾位置の間になるとともにそれらの液滴の前記短軸方向に関する着弾位置が前記第１の吐出走査での着弾位置よりも前記短軸方向に関して前記区画の中心寄りになるようにして液滴を付与する第２の吐出走査を行う工程とを有することを特徴とする。
【０００７】
これにより、基体上に形成された色要素となるべき区画が比較的大きい場合であっても、その区画に色要素を形成するために必要な量の液状材料を少ない走査回数で迅速かつ確実に付与することができ、また、付与した液状材料を区画の全域に余すところなく、かつ均一に濡れ広がらせる（行き渡らせる）ことができる。よって、容易に色要素を形成することができるとともに、形成する色要素の膜厚を区画全体に均一にすることができる。さらに、第２の吐出走査において吐出した液滴が着弾した際に飛沫が飛び跳ねた場合であっても、その飛沫が隣の区画まで到達するのを有効に防止することができ、混色の発生を有効に防止することができる。
【０００８】
本発明の液滴付与方法では、前記第１の吐出走査および前記第２の吐出走査では、同じノズルから吐出された複数の液滴が着弾してなる複数のドットが前記短軸方向に沿ってつながるような間隔で液滴を付与することが好ましい。
これにより、上記効果がより顕著に発揮される。
本発明の液滴付与方法では、前記基体と前記液滴吐出手段とを前記短軸方向に相対的に往復させ、その往路と復路とでそれぞれ吐出走査を行うことが好ましい。
これにより、さらに効率良く迅速に各区画に液状材料を付与することができる。
【０００９】
本発明の液滴付与方法では、一往復または複数往復の吐出走査により、一つの基体に対する液滴の付与を終了することが好ましい。
これにより、極めて効率良く迅速に各区画に液状材料を付与することができる。
本発明の液滴付与方法では、２回目以降の吐出走査においては、前記液滴吐出手段と前記基体との相対位置を前回の吐出走査の際と比べて前記長軸方向に所定量ずらすことにより、同じ区画に対して前回の吐出走査の際と異なるノズルから液滴を吐出することが好ましい。
これにより、液滴吐出ヘッドにおける各ノズル間で吐出量に多少のバラツキがあっても、各区画に付与する液状材料の量を均一にすることができる。
【００１０】
本発明の液滴吐出装置は、液滴を吐出する複数のノズルを有する液滴吐出手段と、
色要素となるべき複数の区画が形成された基体と、前記液滴吐出手段とを相対的に移動させる移動手段と、
前記液滴吐出手段および前記移動手段の作動を制御する制御手段とを備え、
前記液滴吐出手段と前記基体とを前記区画の短軸方向に相対的に移動させ、色要素形成用の液状材料を前記ノズルから液滴として吐出して前記区画に付与する吐出走査を複数回行う液滴吐出装置であって、
前記液滴吐出手段は、複数のノズルが前記区画の長軸方向に沿って並んだ少なくとも一列のノズル列を有する液滴吐出ヘッドを少なくとも一つ備え、前記長軸方向のノズルピッチが前記区画の前記長軸方向の長さより短くなるように構成されており、
前記基体と前記液滴吐出手段とを前記短軸方向に相対的に移動させ、一つの前記区画につき前記長軸方向の位置が互いに異なる複数のノズルからそれぞれ液滴を複数回吐出し、かつ、液滴が着弾してなるドットが、その液滴を吐出したノズルと前記長軸方向の距離が最も近い別のノズルから吐出された液滴が着弾してなるドットと前記長軸方向に関して重ならないようにして液滴を付与する第１の吐出走査と、
前記基体と前記液滴吐出手段とを前記短軸方向に相対的に移動させ、一つの前記区画につき前記長軸方向の位置が互いに異なる複数のノズルからそれぞれ液滴を少なくとも１回吐出し、かつ、それらの液滴の前記長軸方向に関する着弾位置が前記第１の吐出走査での隣接する二つの着弾位置の間になるとともにそれらの液滴の前記短軸方向に関する着弾位置が前記第１の吐出走査での着弾位置よりも前記短軸方向に関して前記区画の中心寄りになるようにして液滴を付与する第２の吐出走査とを行うことを特徴とする。
【００１１】
これにより、基体上に形成された色要素となるべき区画が比較的大きい場合であっても、その区画に色要素を形成するために必要な量の液状材料を少ない走査回数で迅速かつ確実に付与することができ、また、付与した液状材料を区画の全域に余すところなく、かつ均一に濡れ広がらせる（行き渡らせる）ことができる。よって、容易に色要素を形成することができるとともに、形成する色要素の膜厚を区画全体に均一にすることができる。さらに、第２の吐出走査において吐出した液滴が着弾した際に飛沫が飛び跳ねた場合であっても、その飛沫が隣の区画まで到達するのを有効に防止することができ、混色の発生を有効に防止することができる。
【００１２】
本発明の電気光学装置の製造方法は、本発明の液滴付与方法を用いて基体上の複数の区画に色要素を形成して色要素付き基板を製造する工程を有することを特徴とする。
これにより、電気光学装置の製造を効率良く迅速に行うことができる。
本発明の電子機器は、本発明の電気光学装置の製造方法により製造された電気光学装置を備えることを特徴とする。
これにより、電子機器の製造を効率良く迅速に行うことができ、低コストかつ高品質な電子機器を提供することができる。
【発明を実施するための最良の形態】
【００１３】
以下、本発明の液滴付与方法、液滴吐出装置、電気光学装置の製造方法および電子機器を添付図面に示す好適な実施形態に基づいて詳細に説明する。
＜液滴吐出装置の第１実施形態＞
（液滴吐出装置の全体構成）
図１に示すように、液滴吐出装置１００は、液状材料１１１を保持するタンク１０１と、チューブ１１０と、チューブ１１０を介してタンク１０１から液状材料１１１が供給される吐出走査部１０２と、を備える。吐出走査部１０２は、複数の液滴吐出ヘッド１１４をキャリッジ１０５に搭載してなる液滴吐出手段１０３と、液滴吐出手段１０３の位置を制御する第１位置制御装置１０４（移動手段）と、後述する基体１０Ａを保持するステージ１０６と、ステージ１０６の位置を制御する第２位置制御装置１０８（移動手段）と、制御手段１１２とを備えている。タンク１０１と、液滴吐出手段１０３における複数の液滴吐出ヘッド１１４とは、チューブ１１０で連結されており、タンク１０１から複数の液滴吐出ヘッド１１４のそれぞれに液状材料１１１が圧縮空気によって供給される。
【００１４】
第１位置制御装置１０４は、制御手段１１２からの信号に応じて、液滴吐出手段１０３をＸ軸方向、およびＸ軸方向に直交するＺ軸方向に沿って移動させる。さらに、第１位置制御装置１０４は、Ｚ軸に平行な軸の回りで液滴吐出手段１０３を回転させる機能も有する。本実施形態では、Ｚ軸方向は、鉛直方向（つまり重力加速度の方向）に平行な方向である。第２位置制御装置１０８は、制御手段１１２からの信号に応じて、Ｘ軸方向およびＺ軸方向の双方に直交するＹ軸方向に沿ってステージ１０６を移動させる。さらに、第２位置制御装置１０８は、Ｚ軸に平行な軸の回りでステージ１０６を回転させる機能も有する。
【００１５】
ステージ１０６は、Ｘ軸方向とＹ軸方向との双方に平行な平面を有する。また、ステージ１０６は、液状材料１１１を塗布すべき区画を有する基体をその平面上に固定、または保持できるように構成されている。
上述のように、液滴吐出手段１０３は、第１位置制御装置１０４によってＸ軸方向に移動させられる。一方、ステージ１０６は、第２位置制御装置１０８によってＹ軸方向に移動させられる。つまり、第１位置制御装置１０４および第２位置制御装置１０８によって、ステージ１０６に対する液滴吐出ヘッド１１４の相対位置が変わる。
制御手段１１２は、液状材料１１１を吐出すべき相対位置を表す吐出データを外部情報処理装置から受け取るように構成されている。制御手段１１２の詳細な構成および機能は、後述する。
【００１６】
（液滴吐出手段）
図２は、液滴吐出手段１０３をステージ１０６側から観察した図である。図２に示すように、液滴吐出手段１０３は、それぞれほぼ同じ構造を有する複数の液滴吐出ヘッド１１４と、これらの液滴吐出ヘッド１１４を保持するキャリッジ１０５とを有している。本実施形態では、液滴吐出手段１０３に保持される液滴吐出ヘッド１１４の数は８個である。それぞれの液滴吐出ヘッド１１４は、後述する複数のノズル１１８が設けられた底面を有している。それぞれの液滴吐出ヘッド１１４のこの底面の形状は、２つの長辺と２つの短辺とを有する多角形である。液滴吐出手段１０３に保持された液滴吐出ヘッド１１４の底面はステージ１０６側を向いており、さらに、液滴吐出ヘッド１１４の長辺方向と短辺方向とは、それぞれＸ軸方向とＹ軸方向とに平行である。
【００１７】
（液滴吐出ヘッド）
図３は、液滴吐出ヘッド１１４の底面を示す。液滴吐出ヘッド１１４は、Ｘ軸方向に並んだ複数のノズル１１８を有する。これら複数のノズル１１８は、液滴吐出ヘッド１１４におけるＸ軸方向のノズルピッチＨＸＰが約７０μｍとなるように配置されている。ここで、「液滴吐出ヘッド１１４におけるＸ軸方向のノズルピッチＨＸＰ」は、液滴吐出ヘッド１１４におけるノズル１１８のすべてをＹ軸方向に沿ってＸ軸上に射像して得られた複数のノズル像間のピッチに相当する。
【００１８】
本実施形態では、液滴吐出ヘッド１１４における複数のノズル１１８は、ともにＸ軸方向に延びるノズル列１１６Ａと、ノズル列１１６Ｂとをなす。ノズル列１１６Ａと、ノズル列１１６Ｂとは、間隔を空けて並行に配置されている。そして、ノズル列１１６Ａおよびノズル列１１６Ｂのそれぞれにおいて、９０個のノズル１１８が一定間隔でＸ軸方向に一列に並んでいる。本実施形態では、この一定間隔は約１４０μｍである。つまり、ノズル列１１６ＡのノズルピッチＬＮＰおよびノズル列１１６ＢのノズルピッチＬＮＰは、ともに約１４０μｍである。
【００１９】
ノズル列１１６Ｂの位置は、ノズル列１１６Ａの位置に対して、ノズルピッチＬＮＰの半分の長さ（約７０μｍ）だけＸ軸方向の正の方向（図３の右方向）にずれている。このため、液滴吐出ヘッド１１４のＸ軸方向のノズルピッチＨＸＰは、ノズル列１１６Ａ（またはノズル列１１６Ｂ）のノズルピッチＬＮＰの半分の長さ（約７０μｍ）である。
したがって、液滴吐出ヘッド１１４のＸ軸方向のノズル線密度は、ノズル列１１６Ａ（またはノズル列１１６Ｂ）のノズル線密度の２倍である。なお、本明細書において「Ｘ軸方向のノズル線密度」とは、複数のノズルをＹ軸方向に沿ってＸ軸上に射像して得られた複数のノズル像の単位長さ当たりの数に相当する。
【００２０】
もちろん、液滴吐出ヘッド１１４が含むノズル列の数は、２つだけに限定されない。液滴吐出ヘッド１１４はＭ個のノズル列を含んでもよい。ここで、Ｍは１以上の自然数である。この場合には、Ｍ個のノズル列のそれぞれにおいて複数のノズル１１８は、ノズルピッチＨＸＰのＭ倍の長さのピッチで並ぶ。さらに、Ｍが２以上の自然数の場合には、Ｍ個のノズル列のうちの一つに対して、他の（Ｍ−１）個のノズル列は、ノズルピッチＨＸＰのｉ倍の長さだけ重複無くＸ軸方向にずれている。ここで、ｉは１から（Ｍ−１）までの自然数である。
【００２１】
さて、ノズル列１１６Ａおよびノズル列１１６Ｂのそれぞれが９０個のノズル１１８からなるため、１つの液滴吐出ヘッド１１４は１８０個のノズル１１８を有する。ただし、ノズル列１１６Ａの両端のそれぞれ５ノズルは「休止ノズル」として設定されている。同様に、ノズル列１１６Ｂの両端のそれぞれ５ノズルも「休止ノズル」として設定されている。そして、これら２０個の「休止ノズル」からは液状材料１１１が吐出されない。このため、液滴吐出ヘッド１１４における１８０個のノズル１１８のうち、１６０個のノズル１１８が液状材料１１１を吐出するノズルとして機能する。
【００２２】
図２に示すように、液滴吐出手段１０３においては、複数個の上記液滴吐出ヘッド１１４がＸ軸方向に沿って２列に配置されている。一方の列の液滴吐出ヘッド１１４と他方の列の液滴吐出ヘッド１１４とは、休止ノズル分を考慮して、Ｙ軸方向から見て一部重なるように配置されている。これにより、液滴吐出手段１０３においては、基体１０ＡのＸ軸方向の寸法分の長さに渡り、液状材料１１１を吐出するノズル１１８が前記ノズルピッチＨＸＰでＸ軸方向に連続するように構成されている。
本実施形態の液滴吐出手段１０３では、基体１０ＡのＸ軸方向の寸法分の長さ全体をカバーするように液滴吐出ヘッド１１４を配置しているが、本発明における液滴吐出手段は、基体１０ＡのＸ軸方向の寸法分の長さの一部をカバーするようにものでもよい。
【００２３】
図４（ａ）および（ｂ）に示すように、それぞれの液滴吐出ヘッド１１４は、インクジェットヘッドである。より具体的には、それぞれの液滴吐出ヘッド１１４は、振動板１２６と、ノズルプレート１２８と、を備えている。振動板１２６と、ノズルプレート１２８との間には、タンク１０１から孔１３１を介して供給される液状材料１１１が常に充填される液たまり１２９が位置している。
【００２４】
また、振動板１２６と、ノズルプレート１２８との間には、複数の隔壁１２２が位置している。そして、振動板１２６と、ノズルプレート１２８と、１対の隔壁１２２とによって囲まれた部分がキャビティ１２０である。キャビティ１２０はノズル１１８に対応して設けられているため、キャビティ１２０の数とノズル１１８の数とは同じである。キャビティ１２０には、１対の隔壁１２２間に位置する供給口１３０を介して、液たまり１２９から液状材料１１１が供給される。
【００２５】
振動板１２６上には、それぞれのキャビティ１２０に対応して、振動子１２４が位置する。振動子１２４は、ピエゾ素子１２４Ｃと、ピエゾ素子１２４Ｃを挟む１対の電極１２４Ａ、１２４Ｂと、を含む。この１対の電極１２４Ａ、１２４Ｂとの間に駆動電圧を与えることで、対応するノズル１１８から液状材料１１１が吐出される。なお、ノズル１１８からＺ軸方向に液状材料１１１が吐出されるように、ノズル１１８の形状が調整されている。
ここで、本明細書において「液状材料」とは、ノズルから吐出可能な粘度を有する材料をいう。この場合、材料が水性であると油性であるとを問わない。ノズルから吐出可能な流動性（粘度）を備えていれば十分で、固体物質が混入していても全体として流動体であればよい。
【００２６】
制御手段１１２（図１）は、複数の振動子１２４のそれぞれに互いに独立に信号を与えるように構成されていてもよい。つまり、ノズル１１８から吐出される材料１１１の体積が、制御手段１１２からの信号に応じてノズル１１８毎に制御されてもよい。そのような場合には、ノズル１１８のそれぞれから吐出される材料１１１の体積は、０ｐｌ〜４２ｐｌ（ピコリットル）の間で可変にしてもよい。また、制御手段１１２は、後述するように、塗布走査の間に吐出動作を行うノズル１１８と、吐出動作を行わないノズル１１８と、を設定することでもできる。
【００２７】
本明細書では、１つのノズル１１８と、ノズル１１８に対応するキャビティ１２０と、キャビティ１２０に対応する振動子１２４と、を含んだ部分を「吐出部１２７」と表記することもある。この表記によれば、１つの液滴吐出ヘッド１１４は、ノズル１１８の数と同じ数の吐出部１２７を有する。吐出部１２７は、ピエゾ素子の代わりに電気熱変換素子を有してもよい。つまり、吐出部１２７は、電気熱変換素子による材料の熱膨張を利用して材料を吐出する構成を有していてもよい。
【００２８】
なお、本発明では、液滴吐出手段１０３におけるノズルピッチＨＸＰは、上記の大きさに限らず、いかなる大きさであってもよい。
さらに、液滴吐出手段１０３は、図２に示す構成以外に、図５に示すように複数の液滴吐出ヘッド１１４がＹ軸方向に重ねて配置された構成であってもよい。以下、この図５に示す液滴吐出手段１０３’について説明する。
【００２９】
図５には、液滴吐出手段１０３’における２つのヘッド群１１４Ｇが示されている。それぞれのヘッド群１１４Ｇは、４つの液滴吐出ヘッド１１４からなる。そして、ヘッド群１１４ＧのＸ軸方向のノズルピッチＧＸＰが、液滴吐出ヘッド１１４のＸ軸方向のノズルピッチＨＸＰの１／４倍の長さとなるように、ヘッド群１１４Ｇにおいて４つの液滴吐出ヘッド１１４が配置されている。より具体的には、１つの液滴吐出ヘッド１１４の基準ノズル１１８ＲのＸ座標に対して、他の液滴吐出ヘッド１１４の基準ノズル１１８ＲのＸ座標が、ノズルピッチＨＸＰのｊ／４倍の長さだけ、Ｘ軸方向に重複無くずれて位置している。ここで、ｊは１から３までの自然数である。このため、ヘッド群１１４ＧのＸ軸方向のノズルピッチＧＸＰは、ノズルピッチＨＸＰの１／４倍である。
【００３０】
本実施形態では、液滴吐出ヘッド１１４のＸ軸方向のノズルピッチＨＸＰは約７０μｍだから、ヘッド群１１４ＧのＸ軸方向のノズルピッチＧＸＰは、その１／４倍の約１７．５μｍである。ここで、「ヘッド群１１４ＧのＸ軸方向のノズルピッチＧＸＰ」は、ヘッド群１１４Ｇにおけるノズル１１８のすべてを、Ｙ軸方向に沿ってＸ軸上に射像して得られた複数のノズル像間のピッチに相当する。
【００３１】
もちろん、ヘッド群１１４Ｇが含む液滴吐出ヘッド１１４の数は、４つだけに限定されない。ヘッド群１１４ＧはＮ個の液滴吐出ヘッド１１４からなってもよい。ここで、Ｎは２以上の自然数である。この場合には、ノズルピッチＧＸＰがノズルピッチＨＸＰの１／Ｎ倍の長さになるように、ヘッド群１１４ＧにおいてＮ個の液滴吐出ヘッド１１４が配置されればよい。あるいは、Ｎ個の液滴吐出ヘッド１１４の一つにおける基準ノズル１１８ＲのＸ座標に対して、他の（Ｎ−１）個の液滴吐出ヘッド１１４における基準ノズル１１８のＸ座標が、ノズルピッチＨＸＰのｊ／Ｎ倍の長さだけ重複無くずれていればよい。なお、この場合には、ｊは１から（Ｎ−１）までの自然数である。
図５に示すような構成によれば、液滴吐出手段１０３’全体としてのＸ軸方向のノズルピッチＧＸＰを前記ノズルピッチＨＸＰより短くすることができるので、より高精細に液滴を付与することができる。
【００３２】
（制御手段）
次に、制御手段１１２の構成を説明する。図６に示すように、制御手段１１２は、入力バッファメモリ２００と、記憶手段２０２と、処理部２０４と、走査駆動部２０６と、ヘッド駆動部２０８とを備えている。バッファメモリ２００と処理部２０４とは相互に通信可能に接続されている。処理部２０４と記憶手段２０２とは、相互に通信可能に接続されている。処理部２０４と走査駆動部２０６とは相互に通信可能に接続されている。処理部２０４とヘッド駆動部２０とは相互に通信可能に接続されている。また、走査駆動部２０６は、第１位置制御装置１０４および第２位置制御装置１０８と相互に通信可能に接続されている。同様にヘッド駆動部２０８は、複数の液滴吐出ヘッド１１４のそれぞれと相互に通信可能に接続されている。
【００３３】
入力バッファメモリ２００は、外部情報処理装置から液状材料１１１の液滴の吐出を行うための吐出データを受け取る。吐出データは、基体上のすべての区画の相対位置を表すデータと、すべての区画に液状材料１１１を所望の厚さにまで塗布するのに必要となる相対走査の回数を示すデータと、オンノズル１１８Ａとして機能するノズル１１８を指定するデータと、オフノズル１１８Ｂとして機能するノズル１１８を指定するデータと、を含む。オンノズル１１８Ａおよびオフノズル１１８Ｂの説明は後述する。入力バッファメモリ２００は、吐出データを処理部２０４に供給し、処理部２０４は吐出データを記憶手段２０２に格納する。図６では、記憶手段２０２はＲＡＭである。
【００３４】
処理部２０４は、記憶手段２０２内の吐出データに基づいて、区画に対するノズル１１８の相対位置を示すデータを走査駆動部２０６に与える。走査駆動部２０６はこのデータと、後述する吐出周期ＥＰ（図７）と、に応じた駆動信号を第１位置制御装置１０４および第２位置制御装置１０８に与える。この結果、区画に対して液滴吐出ヘッド１１４が相対走査する。一方、処理部２０４は、記憶手段２０２に記憶された吐出データと、吐出周期ＥＰと、に基づいて、吐出タイミング毎のノズル１１８のオン・オフを指定する選択信号ＳＣをヘッド駆動部２０８へ与える。ヘッド駆動部２０８は、選択信号ＳＣに基づいて、液状材料１１１の吐出に必要な吐出信号ＥＳを液滴吐出ヘッド１１４に与える。この結果、液滴吐出ヘッド１１４における対応するノズル１１８から、液状材料１１１が液滴として吐出される。
制御手段１１２は、ＣＰＵ、ＲＯＭ、ＲＡＭを含んだコンピュータであってもよい。この場合には、制御手段１１２の上記機能は、コンピュータによって実行されるソフトウェアプログラムによって実現される。もちろん、制御手段１１２は、専用の回路（ハードウェア）によって実現されてもよい。
【００３５】
次に制御手段１１２におけるヘッド駆動部２０８の構成と機能を説明する。
図７（ａ）に示すように、ヘッド駆動部２０８は、１つの駆動信号生成部２０３と、複数のアナログスイッチＡＳと、を有する。図７（ｂ）に示すように、駆動信号生成部２０３は駆動信号ＤＳを生成する。駆動信号ＤＳの電位は、基準電位Ｌに対して時間的に変化する。具体的には、駆動信号ＤＳは、吐出周期ＥＰで繰り返される複数の吐出波形Ｐを含む。ここで、吐出波形Ｐは、ノズル１１８から１つの液滴を吐出するために、対応する振動子１２４の一対の電極間に印加されるべき駆動電圧波形に対応する。
【００３６】
駆動信号ＤＳは、アナログスイッチＡＳのそれぞれの入力端子に供給される。アナログスイッチＡＳのそれぞれは、吐出部１２７のそれぞれに対応して設けられている。つまり、アナログスイッチＡＳの数と吐出部１２７の数（つまりノズル１１８の数）とは同じである。
処理部２０４は、ノズル１１８のオン・オフを表す選択信号ＳＣを、アナログスイッチＡＳのそれぞれに与える。ここで、選択信号ＳＣは、アナログスイッチＡＳ毎に独立にハイレベルおよびローレベルのどちらかの状態を取り得る。一方、アナログスイッチＡＳは、駆動信号ＤＳと選択信号ＳＣとに応じて、振動子１２４の電極１２４Ａに吐出信号ＥＳを供給する。具体的には、選択信号ＳＣがハイレベルの場合には、アナログスイッチＡＳは電極１２４Ａに吐出信号ＥＳとして駆動信号ＤＳを伝播する。一方、選択信号ＳＣがローレベルの場合には、アナログスイッチＡＳが出力する吐出信号ＥＳの電位は基準電位Ｌとなる。振動子１２４の電極１２４Ａに駆動信号ＤＳが与えられると、その振動子１２４に対応するノズル１１８から液状材料１１１が吐出される。なお、それぞれの振動子１２４の電極１２４Ｂには基準電位Ｌが与えられている。
【００３７】
図７（ｂ）に示す例では、２つの吐出信号ＥＳのそれぞれにおいて、吐出周期ＥＰの２倍の周期２ＥＰで吐出波形Ｐが現れるように、２つの選択信号ＳＣのそれぞれにおいてハイレベルの期間とローレベルの期間とが設定されている。これによって、対応する２つのノズル１１８のそれぞれから、周期２ＥＰで液状材料１１１が吐出される。また、これら２つのノズル１１８に対応する振動子１２４のそれぞれには、共通の駆動信号生成部２０３からの共通の駆動信号ＤＳが与えられている。このため、２つのノズル１１８からほぼ同じタイミングで液状材料１１１が吐出される。
以上の構成によって、液滴吐出装置１００は、制御手段１１２に与えられた吐出データに応じて、液状材料１１１を基体１０Ａに付与する吐出走査を行う。
【００３８】
＜液滴付与方法の実施形態＞
本発明の液滴付与方法は、上述したような液滴吐出装置１００を用いて実施される。以下、図８ないし図１１を参照しつつ、本発明の液滴付与方法の実施形態について説明する。
なお、以下の説明では、液晶表示装置に用いるカラーフィルタ基板を製造する場合を想定しているが、後述するように、本発明は、カラーフィルタ基板以外の各種の電気光学装置の製造に適用することができる。
【００３９】
図８に示すように、基体１０Ａ上には、色要素となるべき複数の細長い区画１８Ｒ、１８Ｇ、１８Ｂが形成されている。区画１８Ｒは、Ｒ（赤）の色要素になるべき領域であり、区画１８Ｇは、Ｇ（緑）の色要素になるべき領域であり、区画１８Ｂは、Ｂ（青）の色要素になるべき領域である。
各区画１８Ｒ、１８Ｇ、１８Ｂは、互いに同じ形状であり、その長軸方向（長手方向）がＸ軸方向に平行であり、その短軸方向がＹ軸方向に平行になっている。また、各区画１８Ｒ、１８Ｇ、１８Ｂは、ほぼ長方形をなしているが、図示の構成では、図中の上端部の左側が引っ込んだ形状をなしており、この部分の幅がやや狭くなっている。この引っ込んだ部分は、ＴＦＴの形成領域に対応する部分である。
【００４０】
並設された一組の区画１８Ｒ、１８Ｇ、１８Ｂは、カラーフィルタ基板の一画素分に相当する。基体１０Ａ上には、多数組の区画１８Ｒ、１８Ｇ、１８Ｂが行列状に並べて形成されている。すなわち、この基体１０Ａは、ストライプ配列のカラーフィルタ基板になるべきものである。
液滴吐出装置１００は、第２位置制御装置１０８を作動させることにより基体１０Ａと液滴吐出手段１０３とをＹ軸方向に相対的に移動させつつ、色要素形成用の液状材料１１１を全部または一部のノズル１１８から液滴として吐出して基体１０Ａ上の全部または一部の区画に付与する動作（本明細書ではこの動作を「吐出走査」と言う）を複数回行う。
【００４１】
吐出走査においては、原則として、液滴吐出手段１０３が基体１０Ａ上を端から端まで相対的に通過するように両者をＹ軸方向に相対的に移動させる。
なお、以下の説明では、区画１８Ｒについて液滴を付与する場合について代表して説明するが、区画１８Ｇ、区画１８Ｂにも同様に液滴を付与することができる。また、図面では一つの区画１８Ｒのみを示すが、１回の吐出走査において全部の区画１８Ｒについて同様に液滴が付与される。
【００４２】
図８は、１回目の吐出走査（第１の吐出走査）を行う前の状態を示す図である。吐出走査を行う前には、第１位置制御装置１０４の作動により、基体１０Ａと液滴吐出手段１０３とのＸ軸方向の相対位置が所定位置に位置決めされる。図８は、この位置決め後の状態である。この位置決めによって、その区画１８Ｒに対して液滴を吐出するノズル１１８が割り当てられる。
ここで、液滴吐出手段１０３のＸ軸方向のノズルピッチＨＸＰは、区画１８ＲのＸ軸方向の長さより短くなるように構成されていることから、一つの区画１８Ｒには、複数（図示の構成では５個）のノズル１１８が割り当てられる。
【００４３】
図８等の図面中で符号「１１８」の後に記載してある「♯」の付いた数字は、各ノズル列１１６Ａ、１１６Ｂの端から何番目のノズル１１８であるかを示している。すなわち、図示の区画１８Ｒの場合には、ノズル列１１６Ａの１１番目、１２番目および１３番目と、ノズル列１１６Ｂの１１番目および１２番目との、計５個のノズル１１８が割り当てられていることを示す。
【００４４】
第１の吐出走査では、図８に示す状態から基体１０Ａを液滴吐出手段１０３に対し図中の左方向へ相対的に移動させつつ、区画１８Ｒ上を通過する前記５個のノズル１１８から液滴を吐出し、これらの液滴を区画１８Ｒ内に着弾させる。図９は、第１の吐出走査を終えた状態を示す図である。
第１の吐出走査では、図９に示すように、液滴が着弾してなるドット９２が、その液滴を吐出したノズル１１８とＸ軸方向の距離が最も近い別のノズル１１８から吐出された液滴が着弾してなるドット９２とＸ軸方向に関して重ならないようにして液滴を付与する。ここで、「Ｘ軸方向に関して重ならない」とは、Ｙ軸方向に平行な方向から見たときに、あるノズル１１８から吐出されたドット９２が他のノズル１１８から吐出されたドット９２と重ならないことを言う。ノズル１１８から吐出された１滴の液状材料１１１が区画１８Ｒの底面に着弾してなるドット９２の直径は、１滴の液状材料１１１の体積や、区画１８Ｒの底面に対する液状材料１１１の接触角（濡れ性）によって変化する。よって、ノズル１１８から吐出された１滴の液状材料１１１が区画１８Ｒの底面に着弾してなるドット９２の直径の値を予め実験や理論計算によって調べ、この値がノズルピッチＨＸＰよりも小さくなるように制御すればよい。
【００４５】
また、第１の吐出走査では、一つの区画１８Ｒにつき、各ノズル１１８からそれぞれ複数回（図示では４回）液滴を吐出する。この場合、同じノズル１１８から吐出された複数の液滴が着弾してなる複数のドット９２は、当然に走査方向であるＹ軸方向に沿って並ぶが、図９に示すように、同じノズル１１８から吐出された複数の液滴が着弾してなる複数のドット９２がＹ軸方向に沿ってつながる（連続する）ような間隔で液滴を付与するのがより好ましい。
【００４６】
ここで、「同じノズル１１８から吐出された複数の液滴が着弾してなる複数のドット９２がＹ軸方向に沿ってつながるような間隔」とは、ノズル１１８から吐出された１滴の液状材料１１１が区画１８Ｒの底面に着弾してなるドット９２の直径より小さいような間隔のことである。よって、ノズル１１８から吐出された１滴の液状材料１１１が区画１８Ｒの底面に着弾してなるドット９２の直径の値を予め実験や理論計算によって求めておき、この値よりも小さい間隔で同じノズル１１８から複数の液滴を吐出するように制御することにより、図９に示す状態となるように液滴を付与することができる。
【００４７】
なお、図９に示す各ドット９２は、他のドット９２と重なり合うように描かれているが、当然のことながら上記のような間隔で着弾した複数の液滴同士は互いにくっつき合って一体となり、周囲に濡れ広がる。すなわち、図９は、本発明の液滴付与方法を理解し易いように模式的に描いたものであり、区画１８Ｒ内に付与された液状材料１１１の実際の濡れ広がり方を表すものではない。
【００４８】
第１の吐出走査を終えたら、２回目の吐出走査（第２の吐出走査）を行う前に、第１位置制御装置１０４を作動させて液滴吐出手段１０３と基体１０Ａとの相対位置をＸ軸方向に所定量ずらす（以下、「改行」とも言う）のが好ましく、図１０は、「改行」した後の状態を示す図である。図示の場合には、ノズルピッチＬＮＰのほぼ３０個分ずらしている。これにより、図示の区画１８Ｒには、ノズル列１１６Ａの４１番目および４２番目と、ノズル列１１６Ｂの４１番目および４２番目との、計４個のノズル１１８が割り当てられる。すなわち、第２の吐出走査においては、これら４個のノズル１１８からこの区画１８Ｒに対して液滴を吐出する。
【００４９】
本発明では、上記のように、２回目以降の吐出走査においては、液滴吐出手段１０３と基体１０Ａとの相対位置を前回の吐出走査の際と比べてＸ軸方向に所定量ずらすことにより、同じ区画に対して前回の吐出走査の際と異なるノズルから液滴を吐出するようにするのが好ましい。これにより、液滴吐出ヘッド１１４における各ノズル間で吐出量に多少のバラツキがあっても、各区画に付与する液状材料１１１の量を均一にすることができる。
第２の吐出走査は、図１０に示す状態から基体１０Ａを液滴吐出手段１０３に対し図中の右方向へ相対的に移動させつつ、区画１８Ｒ上を通過する前記４個のノズル１１８から液滴を吐出し、これらの液滴を区画１８Ｒ内に着弾させる。
【００５０】
図１１は、第２の吐出走査を終えた状態を示す図である。図１１中では、見易くするために、第２の吐出走査で吐出した液滴が着弾してなるドット９３にハッチングを付けて示す。図１１に示すように、第２の吐出走査では、この第２の吐出走査で吐出した液滴のＸ軸方向に関する着弾位置（ドット９３のＸ軸方向の位置）が、第１の吐出走査での隣接する二つの着弾位置（ドット９２のＸ軸方向の位置）の間になるようにようにして液滴を付与する。
【００５１】
また、第２の吐出走査では、図１１に示されるように、第２の吐出走査で吐出した液滴のＹ軸方向に関する着弾位置（ドット９３のＹ軸方向の位置）が第１の吐出走査での着弾位置（ドット９２のＹ軸方向の位置）よりもＹ軸方向に関して区画１８Ｒの中心寄りになるようにようにして液滴を付与する。この場合、第２の吐出走査でのドット９３は、図１１中でそのすぐ上またはすぐ下の列のドット９２よりも区画１８ＲのＹ軸方向の中心寄りに位置していればよい。
【００５２】
なお、第２の吐出走査においては、第１の吐出走査のときと同様に、一つの区画１８Ｒにつき各ノズル１１８から液滴を少なくとも１回吐出すればよいが、図１１に示す実施形態のように、各ノズル１１８からそれぞれ複数回（図示では４回）液滴を吐出するのがより好ましく、同じノズル１１８から吐出された複数の液滴が着弾してなる複数のドット９３がＹ軸方向に沿ってつながる（連続する）ような間隔で液滴を付与するのがさらに好ましい。
【００５３】
以上説明したような本発明の液滴付与方法によれば、多数の液滴を区画内に着弾させることができるので、区画の大きさが比較的大きい場合であっても、色要素を形成するために必要な量の液状材料１１１を少ない走査回数で付与することができる。また、第２の吐出走査でのドット９３がＸ軸方向に関して第１の吐出走査でのドット９２の間に位置するので、液状材料を区画内の全域に余すところなく確実に、かつ均一に濡れ広がらせることができる。その結果、形成する色要素の膜厚を区画全体に均一にすることができる。
【００５４】
さらに、第２の吐出走査でのドット９３が第１の吐出走査でのドット９２よりも区画１８ＲのＹ軸方向の中心寄りに位置することにより、次のような利点がある。第１の吐出走査終了後には、区画１８Ｒには付与された赤色の液状材料１１１が溜まっている。このため、第２の吐出走査でこの区画１８Ｒにさらに液滴を吐出した場合、溜まっていた液状材料１１１の飛沫が飛び跳ねることがある。この赤色の液状材料１１１の飛沫が緑色の色要素となるべき隣の区画１８Ｇに入ってしまうと、混色して色が変わってしまい、品質の低下をもたらす。これに対し、本発明では、第２の吐出走査においては液滴を区画１８ＲのＹ軸方向の中心寄りに吐出するので、飛沫が飛び跳ねた場合であっても、その飛沫が隣の区画１８Ｇまで到達するのを有効に防止することができ、上記のような混色の発生を有効に防止することができる。
【００５５】
また、本実施形態では、基体１０Ａと液滴吐出手段１０３とＹ軸方向に相対的に往復させ、その往路（上記第１の吐出走査）と復路（上記第２の吐出走査）とでそれぞれ吐出走査を行うことにより、効率良く迅速に各区画に液状材料１１１を付与することができる。
また、本実施形態では、液滴吐出手段１０３が基体１０ＡのＸ軸方向の幅の全体をカバーしているので（図２参照）、１回の吐出走査で全部の区画１８Ｒ（あるいは区画１８Ｇまたは区画１８Ｂ）に液滴を付与することができ、より効率良く迅速に液状材料１１１を付与することができる。
【００５６】
なお、本発明では、一往復の吐出走査によって一つの基体１０Ａに対する液滴（液状材料１１１）の付与を終了するのが最も好ましく、複数往復の吐出走査によって一つの基体１０Ａに対する液滴（液状材料１１１）の付与を終了するのが次いで好ましい。これにより、複数の基体１０Ａに対して次々と作業を行う場合、基体１０Ａと液滴吐出手段１０３との相対移動を無駄なく利用することができるので、製造効率をさらに向上することができる。なお、本発明では、上記と異なり、奇数回の吐出走査によって一つの基体１０Ａに対する液滴（液状材料１１１）の付与を終了してもよい。
【００５７】
また、本発明の液滴吐出装置１００では、液滴吐出手段１０３が相対移動する方向（Ｙ軸方向）に直交する方向（Ｘ軸方向）に、複数のノズル１１８が並んでいる。このため、Ｘ軸方向に延びた区画に対して、複数のノズル１１８からほぼ同時に液状材料１１１を吐出できる。この結果、駆動信号ＤＳを生成する駆動信号生成部２０３は、複数のノズル１１８に対して１つでよい。また、一方向に並んだ複数のノズル１１８からの吐出タイミングがほぼ同時なので、駆動信号生成部２０３からの駆動信号ＤＳを遅延させるための回路構成などが不要である。この結果、駆動信号ＤＳにおける波形になまりが生じる要因が少なく、このため、精密な吐出波形Ｐを振動子１２４に印加することができる。したがって、ノズル１１８からの液状材料１１１の吐出がより安定している。
【００５８】
＜液滴吐出装置の第２実施形態＞
次に、本発明をカラーフィルタ基板の製造に適用した例についてさらに詳細に説明する。
図１２（ａ）および（ｂ）に示す基体１０Ａは、後述する製造装置１（図１３）による処理を経て、カラーフィルタ基板１０となる基板である。基体１０Ａは、マトリクス状に配置された複数の区画１８Ｒ、１８Ｇ、１８Ｂを有する。
【００５９】
具体的には、基体１０Ａは、光透過性を有する支持基板１２と、支持基板１２上に形成されたブラックマトリクス１４と、ブラックマトリクス１４上に形成されたバンク１６と、を含む。ブラックマトリクス１４は遮光性を有する材料で形成されている。そして、ブラックマトリクス１４とブラックマトリクス１４上のバンク１６とは、支持基板１２上にマトリクス状の複数の光透過部分、すなわちマトリクス状の複数の画素領域、が規定されるように位置している。
【００６０】
それぞれの画素領域において、支持基板１２、ブラックマトリクス１４、およびバンク１６で規定される凹部は、区画１８Ｒ、区画１８Ｇ、区画１８Ｂに対応する。区画１８Ｒは、赤の波長域の光線のみを透過するフィルタ層１１１ＦＲが形成されるべき領域であり、区画１８Ｇは、緑の波長域の光線のみを透過するフィルタ層１１１ＦＧが形成されるべき領域であり、区画１８Ｂは、青の波長域の光線のみを透過するフィルタ層１１１ＦＢが形成されるべき領域である。
【００６１】
図１２（ｂ）に示す基体１０Ａは、Ｘ軸方向とＹ軸方向との双方に平行な仮想平面上に位置している。そして、複数の区画１８Ｒ、１８Ｇ、１８Ｂが形成するマトリクスの行方向および列方向は、それぞれＸ軸方向およびＹ軸方向と平行である。基体１０Ａにおいて、区画１８Ｒ、区画１８Ｇ、および区画１８Ｂは、Ｙ軸方向にこの順番で周期的に並んでいる。一方、区画１８Ｒ同士はＸ軸方向に所定の一定間隔をおいて１列に並んでおり、また、区画１８Ｇ同士はＸ軸方向に所定の一定間隔をおいて１列に並んでおり、そして、区画１８Ｂ同士はＸ軸方向に所定の一定間隔をおいて１列に並んでいる。なお、Ｘ軸方向およびＹ軸方向は互いに直交する。
【００６２】
区画１８Ｒ同士のＹ軸方向に沿った間隔ＬＲＹ、すなわちピッチは、ほぼ５６０μｍである。この間隔は、区画１８Ｇ同士のＹ軸方向に沿った間隔ＬＧＹと同じであり、区画１８Ｂ同士のＹ軸方向に沿った間隔ＬＢＹとも同じである。また、区画１８Ｒの平面像は、長辺と短辺とで決まる矩形である。具体的には、区画１８ＲのＹ軸方向の長さはほぼ１００μｍであり、Ｘ軸方向の長さはほぼ３００μｍである。区画１８Ｇおよび区画１８Ｂも区画１８Ｒと同じ形状・大きさを有している。区画同士の上記間隔および区画の上記大きさは、４０インチ程度の大きさのハイビジョンテレビにおいて、同一色に対応する画素領域同士の間隔や大きさに対応する。
【００６３】
図１３に示す製造装置１は、図１２の基体１０Ａの区画１８Ｒ、１８Ｇ、１８Ｂのそれぞれに対して、対応するカラーフィルタ材料を吐出する装置である。具体的には、製造装置１は、前述した液滴付与方法によって区画１８Ｒのすべてにカラーフィルタ材料１１１Ｒを付与する液滴吐出装置１００Ｒと、区画１８Ｒ上のカラーフィルタ材料１１１Ｒを乾燥させる乾燥装置１５０Ｒと、前述した液滴付与方法によって区画１８Ｇのすべてにカラーフィルタ材料１１１Ｇを付与する液滴吐出装置１００Ｇと、区画１８Ｇ上のカラーフィルタ材料１１１Ｇを乾燥させる乾燥装置１５０Ｇと、前述した液滴付与方法によって区画１８Ｂのすべてにカラーフィルタ材料１１１Ｂを付与する液滴吐出装置１００Ｂと、区画１８Ｂのカラーフィルタ材料１１１Ｂを乾燥させる乾燥装置１５０Ｂと、カラーフィルタ材料１１１Ｒ、１１１Ｇ、１１１Ｂを再度加熱（ポストベーク）するオーブン１６０と、ポストベークされたカラーフィルタ材料１１１Ｒ、１１１Ｇ、１１１Ｂの層の上に保護膜２０を設ける液滴吐出装置１００Ｃと、保護膜２０を乾燥させる乾燥装置１５０Ｃと、乾燥された保護膜２０を再度加熱して硬化する硬化装置１６５と、を備えている。さらに製造装置１は、液滴吐出装置１００Ｒ、乾燥装置１５０Ｒ、液滴吐出装置１００Ｇ、乾燥装置１５０Ｇ、液滴吐出装置１００Ｂ、乾燥装置１５０Ｂ、液滴吐出装置１００Ｃ、乾燥装置１５０Ｃ、硬化装置１６５の順番に基体１０Ａを搬送する搬送装置１７０も備えている。
【００６４】
図１４に示すように、液滴吐出装置１００Ｒの構成は、第１実施形態の液滴吐出装置１００の構成と基本的に同じである。ただし、タンク１０１とチューブ１１０とに代えて、液滴吐出装置１００Ｒが液状のカラーフィルタ材料１１１Ｒ用のタンク１０１Ｒとチューブ１１０Ｒとを備える点で、液滴吐出装置１００Ｒの構成は液滴吐出装置１００の構成と異なる。なお、液滴吐出装置１００Ｒの構成要素のうち、液滴吐出装置１００の構成要素と同様なものには第１実施形態と同じ参照符号を付して、重複する説明を省略する。
【００６５】
液滴吐出装置１００Ｇの構成と、液滴吐出装置１００Ｂの構成と、液滴吐出装置１００Ｃの構成とは、いずれも基本的に液滴吐出装置１００Ｒの構造と同じある。ただし、液滴吐出装置１００Ｒにおけるタンク１０１Ｒとチューブ１１０Ｒとの代わりに、液滴吐出装置１００Ｇがカラーフィルタ材料１１１Ｇ用のタンクとチューブとを備える点で、液滴吐出装置１００Ｇの構成は液滴吐出装置１００Ｒの構成と異なる。同様に、タンク１０１Ｒとチューブ１１０Ｒとの代わりに、液滴吐出装置１００Ｂがカラーフィルタ材料１１１Ｂ用のタンクとチューブとを備える点で、液滴吐出装置１００Ｂの構成は液滴吐出装置１００Ｒの構成と異なる。さらに、タンク１０１Ｒとチューブ１１０Ｒとの代わりに、液滴吐出装置１００Ｃが保護膜材料用のタンクとチューブとを備える点で液滴吐出装置１００Ｃの構成は液滴吐出装置１００Ｒの構成と異なる。なお、本実施形態における液状のカラーフィルタ材料１１１Ｒ、１１１Ｇ、１１１Ｂは、本発明の液状材料の一例である。
【００６６】
次に、液滴吐出装置１００Ｒの動作を説明する。液滴吐出装置１００Ｒは、基体１０Ａ上でマトリクス状に配置された複数の区画１８Ｒに同一の材料を吐出する。なお、第３実施形態において説明するように、基体１０Ａは、エレクトロルミネッセンス表示装置用の基板に置き換わってもよいし、さらには、プラズマ表示装置用の背面基板に置き換わってもよく、また、電子放出素子を備えた画像表示装置の基板に置き換わってもよい。
【００６７】
以下では、製造装置１によってカラーフィルタ基板１０が得られるまでの一連の工程を説明する。
まず、以下の手順にしたがって図１２の基体１０Ａを作成する。まず、スパッタ法または蒸着法によって、支持基板１２上に金属薄膜を形成する。その後、フォトリソグラフィー工程によってこの金属薄膜から格子状のブラックマトリクス１４を形成する。ブラックマトリクス１４の材料の例は、金属クロムや酸化クロムである。なお、支持基板１２は、可視光に対して光透過性を有する基板、例えばガラス基板である。続いて、支持基板１２およびブラックマトリクス１４を覆うように、ネガ型の感光性樹脂組成物からなるレジスト層を塗布する。そして、そのレジスト層の上にマトリクスパターン形状に形成されたマスクフィルム密着させながら、このレジスト層を露光する。その後、レジスト層の未露光部分をエッチング処理で取り除くことで、バンク１６が得られる。以上の工程によって、基体１０Ａが得られる。
なお、バンク１６に代えて、樹脂ブラックからなるバンクを用いても良い。その場合は、金属薄膜（ブラックマトリクス１４）は不要となり、バンク層は、１層のみとなる。
【００６８】
次に、大気圧下の酸素プラズマ処理によって、基体１０Ａを親液化する。この処理によって、支持基板１２と、ブラックマトリクス１４と、バンク１６と、で規定されたそれぞれの凹部（画素領域の一部）における支持基板１２の表面と、ブラックマトリクス１４の表面と、バンク１６の表面と、が親液性を呈するようになる。さらに、その後、基体１０Ａに対して、４フッ化メタンを処理ガスとするプラズマ処理を行う。４フッ化メタンを用いたプラズマ処理によって、それぞれの凹部におけるバンク１６の表面がフッ化処理（撥液性に処理）され、このことで、バンク１６の表面が撥液性を呈するようになる。なお、４フッ化メタンを用いたプラズマ処理によって、先に親液性を与えられた支持基板１２の表面およびブラックマトリクス１４の表面は若干親液性を失うが、それでもこれら表面は親液性を維持する。このように、支持基板１２と、ブラックマトリクス１４と、バンク１６と、によって規定された凹部の表面に所定の表面処理が施されることで、凹部の表面が区画１８Ｒ、１８Ｇ、１８Ｂとなる。
【００６９】
なお、支持基板１２の材質、ブラックマトリクス１４の材質、およびバンク１６の材質によっては、上記のような表面処理を行わなくても、所望の親液性および撥液性を呈する表面が得られることもある。そのような場合には、上記表面処理を施さなくても、支持基板１２と、ブラックマトリクス１４と、バンク１６と、によって規定された凹部の表面が区画１８Ｒ、１８Ｇ、１８Ｂである。
【００７０】
区画１８Ｒ、１８Ｇ、１８Ｂが形成された基体１０Ａは、搬送装置１７０によって、液滴吐出装置１００Ｒのステージ１０６に運ばれる。そして、図１５（ａ）に示すように、液滴吐出装置１００Ｒは、区画１８Ｒのすべてにカラーフィルタ材料１１１Ｒの層が形成されるように、液滴吐出ヘッド１１４からカラーフィルタ材料１１１Ｒを吐出する。具体的には、液滴吐出装置１００Ｒは、前述した液滴付与方法で区画１８Ｒにカラーフィルタ材料１１１Ｒを付与する。基体１０Ａの区画１８Ｒのすべてにカラーフィルタ材料１１１Ｒの層が形成された場合には、搬送装置１７０が基体１０Ａを乾燥装置１５０Ｒ内に位置させる。そして、区画１８Ｒ上のカラーフィルタ材料１１１Ｒを完全に乾燥させることで、区画１８Ｒ上にフィルタ層１１１ＦＲを得る。
【００７１】
次に搬送装置１７０は、基体１０Ａを液滴吐出装置１００Ｇのステージ１０６に位置させる。そして、図１５（ｂ）に示すように、液滴吐出装置１００Ｇは、区画１８Ｇのすべてにカラーフィルタ材料１１１Ｇの層が形成されるように、液滴吐出ヘッド１１４からカラーフィルタ材料１１１Ｇを吐出する。具体的には、液滴吐出装置１００Ｇは、前述した液滴付与方法で区画１８Ｇにカラーフィルタ材料１１１Ｇを付与する。基体１０Ａの区画１８Ｇのすべてにカラーフィルタ材料１１１Ｇの層が形成された場合には、搬送装置１７０が基体１０Ａを乾燥装置１５０Ｇ内に位置させる。そして、区画１８Ｇ上のカラーフィルタ材料１１１Ｇを完全に乾燥させることで、区画１８Ｇ上にフィルタ層１１１ＦＧを得る。
【００７２】
次に搬送装置１７０は、基体１０Ａを液滴吐出装置１００Ｂのステージ１０６に位置させる。そして、図１５（ｃ）に示すように、液滴吐出装置１００Ｂは、区画１８Ｂのすべてにカラーフィルタ材料１１１Ｂの層が形成されるように、液滴吐出ヘッド１１４からカラーフィルタ材料１１１Ｂを吐出する。具体的には、液滴吐出装置１００Ｂは、前述した液滴付与方法で区画１８Ｂにカラーフィルタ材料１１１Ｂを付与する。基体１０Ａの区画１８Ｂのすべてにカラーフィルタ材料１１１Ｂの層が形成された場合には、搬送装置１７０が基体１０Ａを乾燥装置１５０Ｂ内に位置させる。そして、区画１８Ｂ上のカラーフィルタ材料１１１Ｂを完全に乾燥させることで、区画１８Ｂ上にフィルタ層１１１ＦＢを得る。
【００７３】
次に搬送装置１７０は、基体１０Ａを、オーブン１６０内に位置させる。その後、オーブン１６０はフィルタ層１１１ＦＲ、１１１ＦＧ、１１１ＦＢを再加熱（ポストベーク）する。
次に搬送装置１７０は、基体１０Ａを液滴吐出装置１００Ｃのステージ１０６に位置させる。そして、液滴吐出装置１００Ｃは、フィルタ層１１１ＦＲ、１１１ＦＧ、１１１ＦＢ、およびバンク１６を覆って保護膜２０が形成されるように、液状の保護膜材料を吐出する。フィルタ層１１１ＦＲ、１１１ＦＧ、１１１ＦＢ、およびバンク１６を覆う保護膜２０が形成された後に、搬送装置１７０は基体１０Ａを乾燥装置１５０Ｃ内に位置させる。そして、乾燥装置１５０Ｃが保護膜２０を完全に乾燥させた後に、硬化装置１６５が保護膜２０を加熱して完全に硬化することで、基体１０Ａはカラーフィルタ基板１０となる。
【００７４】
＜液滴吐出装置の第３実施形態＞
次に、本発明をエレクトロルミネッセンス表示装置の製造装置に適用した例を説明する。
図１６（ａ）および（ｂ）に示す基体３０Ａは、後述する製造装置２（図１７）による処理によって、エレクトロルミネッセンス表示装置３０となる基板である。基体３０Ａは、マトリクス状に配置された複数の区画３８Ｒ、３８Ｇ、３８Ｂを有する。
【００７５】
具体的には、基体３０Ａは、支持基板３２と、支持基板３２上に形成された回路素子層３４と、回路素子層３４上に形成された複数の画素電極３６と、複数の画素電極３６の間に形成されたバンク４０と、を有している。支持基板３２は、可視光に対して光透過性を有する基板であり、例えばガラス基板である。複数の画素電極３６のそれぞれは、可視光に対して光透過性を有する電極であり、例えば、ＩＴＯ（Indium-Tin Oxide）電極である。また、複数の画素電極３６は、回路素子層３４上にマトリクス状に配置されており、それぞれが画素領域を規定する。そして、バンク４０は、格子状の形状を有しており、複数の画素電極３６のそれぞれを囲む。また、バンク４０は、回路素子層３４上に形成された無機物バンク４０Ａと、無機物バンク４０Ａ上に位置する有機物バンク４０Ｂとからなる。
【００７６】
回路素子層３４は、支持基板３２上で所定の方向に延びる複数の走査電極と、複数の走査電極を覆うように形成された絶縁膜４２と、絶縁膜４２上に位置するともに複数の走査電極が延びる方向に対して直交する方向に延びる複数の信号電極と、走査電極および信号電極の交点付近に位置する複数のスイッチング素子４４と、複数のスイッチング素子４４を覆うように形成されたポリイミドなどの層間絶縁膜４５と、を有する層である。それぞれのスイッチング素子４４のゲート電極４４Ｇおよびソース電極４４Ｓは、それぞれ対応する走査電極および対応する信号電極と電気的に接続されている。層間絶縁膜４５上には複数の画素電極３６が位置する。層間絶縁膜４５には、各スイッチング素子４４のドレイン電極４４Ｄに対応する部位にスルーホール４４Ｖが設けられており、このスルーホール４４Ｖを介して、スイッチング素子４４と、対応する画素電極３６と、の間の電気的接続が形成されている。また、バンク４０に対応する位置にそれぞれのスイッチング素子４４が位置している。つまり、図１６（ｂ）の紙面に垂直な方向から観察すると、複数のスイッチング素子４４のそれぞれは、バンク４０に覆われるように位置している。
【００７７】
基体３０Ａの画素電極３６とバンク４０とで規定される凹部（画素領域の一部）は、区画３８Ｒ、区画３８Ｇ、区画３８Ｂに対応する。区画３８Ｒは、赤の波長域の光線を発光する発光層２１１ＦＲが形成されるべき領域であり、区画３８Ｇは、緑の波長域の光線を発光する発光層２１１ＦＧが形成されるべき領域であり、区画３８Ｂは、青の波長域の光線を発光する発光層２１１ＧＢが形成されるべき領域である。
【００７８】
図１６（ｂ）に示す基体３０Ａは、Ｘ軸方向とＹ軸方向との双方に平行な仮想平面上に位置している。そして、複数の区画３８Ｒ、３８Ｇ、３８Ｂが形成するマトリクスの行方向および列方向は、それぞれＸ軸方向およびＹ軸方向と平行である。基体３０Ａにおいて、区画３８Ｒ、区画３８Ｇ、および区画３８Ｂは、Ｙ軸方向にこの順番で周期的に並んでいる。一方、区画３８Ｒ同士はＸ軸方向に所定の一定間隔をおいて１列に並んでおり、また、区画３８Ｇ同士はＸ軸方向に所定の一定間隔をおいて１列に並んでおり、同様に、区画３８Ｂ同士はＸ軸方向に所定の一定間隔をおいて１列に並んでいる。なお、Ｘ軸方向およびＹ軸方向は互いに直交する。
【００７９】
区画３８Ｒ同士のＹ軸方向に沿った間隔ＬＲＹ、すなわちピッチは、ほぼ５６０μｍである。この間隔は、区画３８Ｇ同士のＹ軸方向に沿った間隔ＬＧＹと同じであり、区画１８Ｂ同士のＹ軸方向に沿った間隔ＬＢＹとも同じである。また、区画３８Ｒの平面像は、長辺と短辺とで決まる矩形である。具体的には、区画３８ＲのＹ軸方向の長さはほぼ１００μｍであり、Ｘ軸方向の長さはほぼ３００μｍである。区画３８Ｇおよび区画３８Ｂも区画３８Ｒと同じ形状・大きさを有している。区画同士の上記間隔および区画の上記大きさは、４０インチ程度の大きさのハイビジョンテレビにおいて、同一色に対応する画素領域同士の間隔や大きさに対応する。
【００８０】
図１７に示す製造装置２は、図１６の基体３０Ａの区画３８Ｒ、３８Ｇ、３８Ｂのそれぞれに対して、対応する発光材料を吐出する装置である。製造装置２は、区画３８Ｒのすべてに発光材料２１１Ｒを付与する液滴吐出装置２００Ｒと、区画３８Ｒ上の発光材料２１１Ｒを乾燥させる乾燥装置２５０Ｒと、区画３８Ｇのすべてに発光材料２１１Ｇを付与する液滴吐出装置２００Ｇと、区画３８Ｇ上の発光材料２１１Ｇを乾燥させる乾燥装置２５０Ｇと、区画３８Ｂのすべてに発光材料２１１Ｂを付与する液滴吐出装置２００Ｂと、区画３８Ｂ上の発光材料Ｂを乾燥させる乾燥装置２５０Ｂと、を備えている。さらに製造装置２は、液滴吐出装置２００Ｒ、乾燥装置２５０Ｒ、液滴吐出装置２００Ｇ、乾燥装置２５０Ｇ、液滴吐出装置２００Ｂ、乾燥装置２５０Ｂの順番に基体３０Ａを搬送する搬送装置２７０も備えている。
【００８１】
図１８に示す液滴吐出装置２００Ｒは、液状の発光材料２１１Ｒを保持するタンク２０１Ｒと、チューブ２１０Ｒと、チューブ２１０Ｒを介してタンク２０１Ｒから発光材料２１１Ｒが供給される吐出走査部１０２と、を備える。吐出走査部１０２の構成は、第１実施形態の吐出走査部１０２（図１）の構成と同じであるため、同様な構成要素には同一の参照符号を付けるとともに、重複する説明を省略する。また、液滴吐出装置２００Ｇの構成と液滴吐出装置２００Ｂの構成とは、どちらも基本的に液滴吐出装置２００Ｒの構造と同じある。ただし、タンク２０１Ｒとチューブ２１０Ｒとの代わりに、液滴吐出装置２００Ｇが発光材料２１１Ｇ用のタンクとチューブとを備える点で、液滴吐出装置２００Ｇの構成は液滴吐出装置２００Ｒの構成と異なる。同様に、タンク２０１Ｒとチューブ２１０Ｒとの代わりに、液滴吐出装置２００Ｂが発光材料２１１Ｂ用のタンクとチューブとを備える点で、液滴吐出装置２００Ｂの構成は液滴吐出装置２００Ｒの構成と異なる。なお、本実施形態における液状の発光材料２１１Ｒ、２１１Ｂ、２１１Ｇは、本発明の液状材料の一例である。
製造装置２を用いたエレクトロルミネッセンス表示装置３０の製造方法を説明する。まず、公知の製膜技術とパターニング技術とを用いて、図１６に示す基体３０Ａを製造する。
【００８２】
次に、大気圧下の酸素プラズマ処理によって、基体３０Ａを親液化する。この処理によって、画素電極３６とバンク４０とで規定されたそれぞれの凹部（画素領域の一部）における画素電極３６の表面、無機物バンク４０Ａの表面、および有機物バンク４０Ｂの表面が、親液性を呈するようになる。さらに、その後、基体３０Ａに対して、４フッ化メタンを処理ガスとするプラズマ処理を行う。４フッ化メタンを用いたプラズマ処理によって、それぞれの凹部における有機物バンク４０Ｂの表面がフッ化処理（撥液性に処理）されて、このことで有機物バンク４０Ｂの表面が撥液性を呈するようになる。なお、４フッ化メタンを用いたプラズマ処理によって、先に親液性を与えられた画素電極３６の表面および無機物バンク４０Ａの表面は、若干親液性を失うが、それでも親液性を維持する。このように、画素電極３６と、バンク４０と、によって規定された凹部の表面に所定の表面処理が施されることで、凹部の表面が区画３８Ｒ、３８Ｇ、３８Ｂとなる。
【００８３】
なお、画素電極３６の材質、無機バンク４０の材質、および有機バンク４０の材質によっては、上記のような表面処理を行わなくても、所望の親液性および撥液性を呈する表面が得られることもある。そのような場合には、上記表面処理を施さなくても、画素電極３６と、バンク４０と、によって規定された凹部の表面は区画３８Ｒ、３８Ｇ、３８Ｂである。
【００８４】
ここで、表面処理が施された複数の画素電極３６のそれぞれの上に、対応する正孔輸送層３７Ｒ、３７Ｇ、３７Ｂを形成してもよい。正孔輸送層３７Ｒ、３７Ｇ、３７Ｂが、画素電極３６と、後述の発光層２１１ＲＦ、２１１ＧＦ、２１１ＢＦと、の間に位置すれば、エレクトロルミネッセンス表示装置の発光効率が高くなる。複数の画素電極３６のそれぞれの上に正孔輸送層を設ける場合には、正孔輸送層と、バンク４０と、によって規定された凹部が、区画３８Ｒ、３８Ｇ、３８Ｂに対応する。
【００８５】
なお、正孔輸送層３７Ｒ、３７Ｇ、３７Ｂをインクジェット法により形成することも可能である。この場合、正孔輸送層３７Ｒ、３７Ｇ、３７Ｂを形成するための材料を含む溶液を各画素領域ごとに所定量塗布し、その後、乾燥させることにより正孔輸送層を形成することができる。なお、正孔輸送層を本明細書に記載する描画方法（液滴付与方法）を用いて形成してもよい。
【００８６】
区画３８Ｒ、３８Ｇ、３８Ｂが形成された基体３０Ａは、搬送装置２７０によって、液滴吐出装置２００Ｒのステージ１０６に運ばれる。そして、図１９（ａ）に示すように、液滴吐出装置２００Ｒは、区画３８Ｒのすべてに発光材料２１１Ｒの層が形成されるように、液滴吐出ヘッド１１４から発光材料２１１Ｒを吐出する。具体的には、液滴吐出装置２００Ｒは、前述した液滴付与方法で区画３８Ｒに発光材料２１１Ｒを付与する。基体３０Ａの区画３８Ｒのすべてに発光材料２１１Ｒの層が形成された場合には、搬送装置２７０が基体３０Ａを乾燥装置２５０Ｒ内に位置させる。そして、区画３８Ｒ上の発光材料２１１Ｒを完全に乾燥させることで、区画３８Ｒ上に発光層２１１ＦＲを得る。
【００８７】
次に搬送装置２７０は、基体３０Ａを液滴吐出装置２００Ｇのステージ１０６に位置させる。そして、図１９（ｂ）に示すように、液滴吐出装置２００Ｇは、区画３８Ｇのすべてに発光材料２１１Ｇの層が形成されるように、液滴吐出ヘッド１１４から発光材料２１１Ｇを吐出する。具体的には、液滴吐出装置２００Ｇは、前述した液滴付与方法で区画３８Ｇに発光材料２１１Ｇを付与する。基体３０Ａの区画３８Ｇのすべてに発光材料２１１Ｇの層が形成された場合には、搬送装置２７０が基体３０Ａを乾燥装置２５０Ｇ内に位置させる。そして、区画３８Ｇ上の発光材料Ｇを完全に乾燥させることで、区画３８Ｇ上に発光層２１１ＦＧを得る。
【００８８】
次に搬送装置２７０は、基体３０Ａを液滴吐出装置２００Ｂのステージ１０６に位置させる。そして、図１９（ｃ）に示すように、液滴吐出装置２００Ｂは、区画３８Ｂのすべてに発光材料２１１Ｂの層が形成されるように、液滴吐出ヘッド１１４から発光材料２１１Ｂを吐出する。具体的には、液滴吐出装置２００Ｂは、前述した液滴付与方法で区画３８Ｂに発光材料２１１Ｂを付与する。基体３０Ａの区画３８Ｂのすべてに発光材料２１１Ｂの層が形成された場合には、搬送装置２７０が基体３０Ａを乾燥装置２５０Ｂ内に位置させる。そして、区画３８Ｂ上の発光材料２１１Ｂを完全に乾燥させることで、区画３８Ｂ上に発光層２１１ＦＢを得る。
【００８９】
図１９（ｄ）に示すように、次に、発光層２１１ＦＲ、２１１ＦＧ、２１１ＦＢ、およびバンク４０を覆うように対向電極４６を設ける。対向電極４６は陰極として機能する。
その後、封止基板４８と基体３０Ａとを、互いの周辺部で接着することで、図１９（ｄ）に示すエレクトロルミネッセンス表示装置３０が得られる。なお、封止基板４８と基体３０Ａとの間には不活性ガス４９が封入されている。
【００９０】
エレクトロルミネッセンス表示装置３０において、発光層２１１ＦＲ、２１１ＦＧ、２１１ＦＢから発光した光は、画素電極３６と、回路素子層３４と、支持基板３２と、を介して射出する。このように回路素子層３４を介して光を射出するエレクトロルミネッセンス表示装置は、ボトムエミッション型の表示装置と呼ばれる。
以上、本発明を液晶表示装置（カラーフィルタ基板）の製造や、エレクトロルミネッセンス表示装置の製造に適用した場合について説明したが、本発明は、これらに限定されず、例えば、プラズマ表示装置の背面基板の製造や、電子放出素子を備えた画像表示装置（ＳＥＤ(Surface-Conduction Electron-Emitter Display)またはＦＥＤ（Field Emission Display）と呼ばれることもある）の製造にも適用することができる。
【００９１】
＜本発明の電子機器の実施形態＞
以下、前述したような方法で製造された液晶表示装置、エレクトロルミネッセンス表示装置、プラズマ表示装置、電子放出素子を備えた画像表示装置等の画像表示装置（電気光学装置）１０００は、各種電子機器の表示部に用いることができる。
図２０は、本発明の電子機器を適用したモバイル型（またはノート型）のパーソナルコンピュータの構成を示す斜視図である。
【００９２】
この図において、パーソナルコンピュータ１１００は、キーボード１１０２を備えた本体部１１０４と、表示ユニット１１０６とにより構成され、表示ユニット１１０６は、本体部１１０４に対しヒンジ構造部を介して回動可能に支持されている。
このパーソナルコンピュータ１１００においては、表示ユニット１１０６が画像表示装置１０００を備えている。
【００９３】
図２１は、本発明の電子機器を適用した携帯電話機（ＰＨＳも含む）の構成を示す斜視図である。
この図において、携帯電話機１２００は、複数の操作ボタン１２０２、受話口１２０４および送話口１２０６とともに、画像表示装置１０００を表示部に備えている。
図２２は、本発明の電子機器を適用したディジタルスチルカメラの構成を示す斜視図である。なお、この図には、外部機器との接続についても簡易的に示されている。
ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
【００９４】
ディジタルスチルカメラ１３００におけるケース（ボディー）１３０２の背面には、画像表示装置１０００が表示部に設けられ、ＣＣＤによる撮像信号に基づいて表示を行う構成になっており、被写体を電子画像として表示するファインダとして機能する。
ケースの内部には、回路基板１３０８が設置されている。この回路基板１３０８は、撮像信号を格納（記憶）し得るメモリが設置されている。
【００９５】
また、ケース１３０２の正面側（図示の構成では裏面側）には、光学レンズ（撮像光学系）やＣＣＤなどを含む受光ユニット１３０４が設けられている。
撮影者が表示部に表示された被写体像を確認し、シャッタボタン１３０６を押下すると、その時点におけるＣＣＤの撮像信号が、回路基板１３０８のメモリに転送・格納される。
【００９６】
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、デ−タ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【００９７】
なお、本発明の電子機器は、上述したパーソナルコンピュータ（モバイル型パーソナルコンピュータ）、携帯電話機、ディジタルスチルカメラの他にも、例えば、テレビや、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。
以上、本発明の液滴付与方法、液滴吐出装置、電気光学装置の製造方法および電子機器を図示の実施形態について説明したが、本発明は、これに限定されるものではない。液滴吐出装置を構成する各部は、同様の機能を発揮し得る任意の構成のものと置換することができる。また、任意の構成物が付加されていてもよい。
【図面の簡単な説明】
【００９８】
【図１】本発明の第１実施形態の液滴吐出装置の斜視図。
【図２】図１に示す液滴吐出装置における液滴吐出手段をステージ側から観察した図。
【図３】図１に示す液滴吐出装置における液滴吐出ヘッドの底面を示す図。
【図４】図１に示す液滴吐出装置における液滴吐出ヘッドを示す図であり、（ａ）は断面斜視図、（ｂ）は断面図。
【図５】液滴吐出手段の他の構成例を示す底面図。
【図６】図１に示す液滴吐出装置における制御手段を示すブロック図。
【図７】（ａ）はヘッド駆動部を示す模式図、（ｂ）はヘッド駆動部における駆動信号、選択信号および吐出信号を示すタイミングチャート。
【図８】本発明の液滴吐出方法を説明するための図。
【図９】本発明の液滴吐出方法を説明するための図。
【図１０】本発明の液滴吐出方法を説明するための図。
【図１１】本発明の液滴吐出方法を説明するための図。
【図１２】本発明の第２実施形態の液滴吐出装置で液滴を付与する基体を示す模式図。
【図１３】本発明の第２実施形態の液滴吐出装置を含む製造装置を示す模式図。
【図１４】本発明の第２実施形態の液滴吐出装置の斜視図。
【図１５】第２実施形態の液滴吐出装置による製造方法を示す模式図。
【図１６】本発明の第３実施形態の液滴吐出装置で液滴を付与する基体を示す模式図。
【図１７】本発明の第３実施形態の液滴吐出装置を含む製造装置を示す模式図。
【図１８】本発明の第３実施形態の液滴吐出装置の斜視図。
【図１９】第３実施形態の液滴吐出装置による製造方法を示す模式図。
【図２０】本発明の電子機器を適用したモバイル型（またはノート型）のパーソナルコンピュータの構成を示す斜視図である。
【図２１】本発明の電子機器を適用した携帯電話機（ＰＨＳも含む）の構成を示す斜視図。
【図２２】本発明の電子機器を適用したディジタルスチルカメラの構成を示す斜視図。
【符号の説明】
【００９９】
１、２……製造装置  ９２、９３……ドット  １００、１００Ｒ、１００Ｇ、１００Ｂ、１００Ｃ、２００Ｒ、２００Ｇ、２００Ｂ……液滴吐出装置  １０１……タンク  １０２……吐出走査部  １０３、１０３’……液滴吐出手段  １０４……第１位置制御装置  １０５……キャリッジ  １０６……ステージ  １０８……第２位置制御装置  １１０……チューブ  １１１……液状材料  １１２……制御手段  １１４……液滴吐出ヘッド  １１４Ｇ……ヘッド群  １１６Ａ、１１６Ｂ……ノズル列  １１８……ノズル  １１８Ｒ……基準ノズル  １２０……キャビティ  １２２……隔壁  １２４……振動子  １２４Ａ、１２４Ｂ……電極  １２４Ｃ……ピエゾ素子  １２６……振動板  １２７……吐出部  １２８……ノズルプレート  １２９……液たまり  １３０……供給口  １３１……孔  ２００……バッファメモリ  ２０２……記憶手段  ２０３……駆動信号生成部  ２０４……処理部  ２０６……走査駆動部  ２０８……ヘッド駆動部  ＡＳ……アナログスイッチ  ＤＳ……駆動信号  ＳＣ……選択信号  ＥＳ……吐出信号  １０Ａ、３０Ａ……基体  １０……カラーフィルタ基板  １２、３２……支持基板  １４……ブラックマトリクス  １６、４０……バンク  ２０……保護膜  １８Ｒ、１８Ｇ、１８Ｂ、３８Ｒ、３８Ｇ、３８Ｂ……区画  １１１ＦＲ、１１１ＦＧ、１１１ＦＢ……フィルタ層  ３０……エレクトロルミネッセンス表示装置  ３４……回路素子層  ３６……画素電極  ４０Ａ……無機物バンク  ４０Ｂ……有機物バンク  ４２……絶縁膜  ４４……スイッチング素子  ４４Ｇ……ゲート電極  ４４Ｓ……ソース電極  ４４Ｄ……ドレイン電極  ４４Ｖ……スルーホール  ４５……層間絶縁膜  ４６……対向電極  ４８……封止基板  ４９……不活性ガス  １５０Ｃ……乾燥装置  １５０Ｒ、１５０Ｇ、１５０Ｂ、２５０Ｒ、２５０Ｇ、２５０Ｂ……乾燥装置  １１１Ｒ、１１１Ｇ、１１１Ｂ……カラーフィルタ材料  １６０……オーブン  １６５……硬化装置  １７０、２７０……搬送装置  ２１１Ｒ、２１１Ｇ、２１１Ｂ……発光材料  １０００……画像表示装置  １１００……パーソナルコンピュータ  １１０２……キーボード  １１０４……本体部  １１０６……表示ユニット  １２００……携帯電話機  １２０２……操作ボタン  １２０４……受話口  １２０６……送話口  １３００……ディジタルスチルカメラ  １３０２……ケース（ボディー）  １３０４……受光ユニット  １３０６……シャッタボタン  １３０８……回路基板  １３１２……ビデオ信号出力端子  １３１４……データ通信用の入出力端子  １４３０……テレビモニタ  １４４０……パーソナルコンピュータ
【図１】
2005218920.tif 000003
【図２】
2005218920.tif 000004
【図３】
2005218920.tif 000005
【図４】
2005218920.tif 000006
【図５】
2005218920.tif 000007
【図６】
2005218920.tif 000008
【図７】
2005218920.tif 000009
【図８】
2005218920.tif 000010
【図９】
2005218920.tif 000011
【図１０】
2005218920.tif 000012
【図１１】
2005218920.tif 000013
【図１２】
2005218920.tif 000014
【図１３】
2005218920.tif 000015
【図１４】
2005218920.tif 000016
【図１５】
2005218920.tif 000017
【図１６】
2005218920.tif 000018
【図１７】
2005218920.tif 000019
【図１８】
2005218920.tif 000020
【図１９】
2005218920.tif 000021
【図２０】
2005218920.tif 000022
【図２１】
2005218920.tif 000023
【図２２】
2005218920.tif 000024